(57)【特許請求の範囲】
【請求項１】
映像ソースから得た映像信号に特殊映像効果処理を施す特殊映像効果手段と、
複数の使用者の識別情報と許容される年齢制限のレベルを設定する設定手段と、
映像ソースから得た年齢制限情報に基づき、年齢制限のレベルを判別する判別手段と、
使用時に入力される使用者識別情報と映像ソースから得た年齢制限情報における年齢制限のレベルを、設定手段に設定された内容と照合して通常出力が許容されるか判定する照合手段と、
照合手段で通常出力が許容されると判定された場合、映像ソースから得た映像信号を出力させ、通常出力が許容されると判定されなかった場合、映像ソースから得た映像信号に対し特殊映像効果手段で特殊映像効果処理を施したあとの映像信号を出力させる切り換え手段と、
を備えたことを特徴とする映像装置。
【請求項２】
映像ソースを映像と年齢制限情報の記録された記録媒体とし、記録媒体再生手段で再生して映像信号を得、また年齢制限情報を読み取るようにしたこと、
を特徴とする請求項１記載の映像装置。
【請求項３】
映像ソースをＡＶソースとし、
ＡＶソースから得た音声信号にミュートを掛けるミュート手段を設け、
照合手段で通常出力が許容されると判定されなかった場合、ミュート手段にミュートを掛けさせるミュート制御手段を設けたこと、
を特徴とする請求項１記載の映像装置。
【請求項４】
映像ソースを映像と音声と年齢制限情報の記録された記録媒体とし、記録媒体再生手段で再生して映像信号と音声信号を得、また年齢制限情報を読み取るようにしたこと、
を特徴とする請求項３記載の映像装置。
【発明の詳細な説明】
【０００１】
【産業上の利用分野】
本発明はディスク再生装置、ＴＶ受信機、高速ディジタル通信回線等を用いる映像（映像・音声）通信受信端末などの映像装置に係り、とくにビデオＣＤ、ＣＤ−ＲＯＭ、ビデオテープ等の映像（映像・音声）記録媒体、ＴＶ，ＣＡＴＶ放送サービス、パソコン通信等による映像（映像・音声）通信サービスなどの映像ソースから得た映像が、暴力シーン、残酷シーンなど一定年齢以下の者の鑑賞に適さない場合に適切な対応を取ることのできる映像装置に関する。
【０００２】
【従来の技術】
昨今のＡＶ関連技術の発展により、ビデオテープ、ビデオＣＤ、ＣＤ−ＲＯＭなど映像を記録した種々の映像記録媒体、ＴＶ，ＣＡＴＶ放送サービス、ＣＡＴＶやパソコン通信等による映像・音声通信サービスなどによる様々な映像ソースが存在する。これらの映像ソースの中には暴力シーン、残酷シーンなど一定年齢以下の者の鑑賞に適さない映像が含まれている場合がある。これがため、テープ再生装置、ディスク再生装置、ＴＶ受信機、映像・音声通信受信端末などの映像装置では、映像ソースが提供する映像の対象年齢以下の者が勝手に鑑賞しないようにする機能を持たせる必要がある。
このため、例えばディスク再生装置の中には、装置固有の暗証番号を入力しないとディスクを再生できなくしたり、予め、ディスク毎に暗証番号を設定しておけば、以降、同一のディスクは暗証番号を入力しないと再生できなくしたものがある。
【０００３】
【発明が解決しようとする課題】
けれども、暗証番号を知っているものしか再生不能とすると、暗証番号を知らない他の者は全く映像を鑑賞することができず、凡そのストーリすら知ることができない。
本発明は上記した従来技術の問題に鑑み、年齢制限の有る映像ソースの完全な鑑賞は防止しながら凡そのストーリは判るようにした映像装置を提供することを目的とする。
【０００９】
【課題を解決するための手段】
本発明に係る映像装置では、映像ソースから得た映像信号に特殊映像効果処理を施す特殊映像効果手段と、複数の使用者の識別情報と許容される年齢制限のレベルを設定する設定手段と、映像ソースから得た年齢制限情報に基づき、年齢制限のレベルを判別する判別手段と、使用時に入力される使用者識別情報と映像ソースから得た年齢制限情報における年齢制限のレベルを、設定手段に設定された内容と照合して通常出力が許容されるか判定する照合手段と、照合手段で通常出力が許容されると判定された場合、映像ソースから得た映像信号を出力させ、通常出力が許容されると判定されなかった場合、映像ソースから得た映像信号に対し特殊映像効果手段で特殊映像効果処理を施したあとの映像信号を出力させる切り換え手段と、を備えたことを特徴としている。
【００１０】
本発明に係る他の映像装置では、映像ソースをＡＶソースとし、ＡＶソースから得た音声信号にミュートを掛けるミュート手段を設け、照合手段で通常出力が許容されると判定されなかった場合、ミュート手段にミュートを掛けさせるミュート制御手段を設けたこと、を特徴としている。
【００１１】
映像ソース（ＡＶソース）を例えば映像（映像と音声）の記録されたディスク等の記録媒体とすれば、該記録媒体を記録媒体再生手段で再生することにより、映像信号（映像信号と音声信号）が得られる。
また、映像（映像と音声）の記録されたディスク等の記録媒体の場合、特定領域に記録されたＴＯＣ情報、ディスク管理情報の中に年齢制限情報を含めたり、映像（映像と音声）の記録領域に多重記録した制御情報の中に、映像（映像と音声）の記録領域全域にわたり年齢制限情報を含めることができる。記録媒体再生手段は映像（映像と音声）を再生するほか、ＴＯＣ情報、ディスク管理情報、制御情報の読み取りを行う。
【００１７】
【作用】
本発明に係る映像装置によれば、予め、複数の使用者の識別情報と許容される年齢制限のレベルを設定しておき、使用時に入力される使用者識別情報とディスク等の記録媒体等の映像ソースから記録媒体再生手段で読み取るなどして得た年齢制限情報に基づき判別した年齢制限のレベルを、予め設定された内容と照合して通常出力が許容されるか判定し、通常出力が許容されると判定された場合、ディスク等の記録媒体等の映像ソースから記録媒体再生手段で再生するなどして得た映像信号を出力させ、通常出力が許容されると判定されなかった場合、映像ソースから得た映像信号に対し特殊映像効果処理を施したあとの映像信号を出力させる。
これにより、年齢制限情報に年齢制限の複数のレベルが有る場合に、複数の使用者間の年齢の差に応じて、映像ソースの映像を完全な画面で鑑賞可能とするか不完全な画面で鑑賞可能とするか適切に切り換えることができる。すなわち、或る映像ソースの年齢制限レベルに対し年齢が適している使用者だけが完全な画面で鑑賞可能とする一方、年齢が適していない他の使用者には不完全な画面で提供するようにでき、年齢が適していない使用者が勝手に完全な形で鑑賞すのを防止しながら、凡そのストーリは把握できるようにすることが可能となる。
【００１８】
本発明に係る他の映像装置によれば、ディスク等の記録媒体等の映像ソースがＡＶソースの場合に、使用時に入力される使用者識別情報とディスク等の記録媒体等の映像ソースから記録媒体再生手段で読み取るなどして得た年齢制限情報に基づき判別した年齢制限のレベルを、予め設定された内容と照合して通常出力が許容されるか判定し、通常出力が許容されると判定されなかった場合、音声出力にミュートを掛ける。
これにより、或るＡＶソースの年齢制限レベルに対し年齢が適していない使用者にはＡＶソースから得た音声を聞こえないようにでき、年齢制限レベル以上でないと適さない音声の鑑賞を防止することができる。
【００１９】
【実施例】
図１は本発明の基礎となるディスク再生装置の回路図である。このディスク再生装置は音楽が記録されたＣＤ−ＤＡと映像と音声が記録されたビデオＣＤの再生が可能である。
１はディスク、２はスピンドルモータ、光ピックアップ、送りモータ、ＲＦアンプ、サーボ回路などを含み、ディスク１からＲＦ信号を再生するディスク再生メカ部、３はローディング部であり、ディスク再生メカ部２と装置ケースに設けたディスク挿入口（図２の符号２１参照）との間でトレイに乗せたディスクの挿入（ローディング）、排出（イジェクト）を行う。
【００２０】
４は信号処理部であり、ディスク再生メカ部２からＲＦ信号を入力し、所定の信号処理を施してディジタル音声信号（ディスク１がＣＤ−ＤＡの場合）、またはディジタル音声信号とディジタル映像信号を出力したり（ディスク１がビデオＣＤの場合）、サブコード情報（ＣＤ−ＤＡとビデオＣＤのＱチャンネル等）、ヘッダー情報、トラック中のディスク管理情報（ビデオＣＤのトラックナンバ０１のビデオＣＤインフォメーション等）など各種制御情報を出力したりする。５はディジタル映像信号を入力し、必要に応じて特殊映像効果処理を施す特殊映像効果部であり、後述するシステムコントローラから特殊映像効果オン信号を入力すると特殊映像効果モードに切り換わり、入力ディジタル映像信号に特殊映像効果処理を施したディジタル映像信号を出力し、特殊映像効果オフ信号を入力すると通常映像モードとなり、入力ディジタル映像信号をそのまま出力する。６は特殊映像効果部５から入力したディジタル映像信号をＤ／Ａ変換して出力するＤ／Ａ変換器である。この実施例では特殊映像効果部５は特殊映像効果モード時、モザイク処理を施すものとするが、ソラリゼーション、ソフトフォーカスなどの処理を施すようにしても良い。
【００２１】
７はディジタル音声信号を入力し、必要に応じてミュート（ディジタルミュート）を掛けるミュート部であり、システムコントローラからミュートオン信号を入力するとミュートモードとなり、入力ディジタル音声信号にミュートを掛けて無音のディジタル音声信号を出力し、ミュートオフ信号を入力すると通常音声モードとなり、入力ディジタル音声信号をそのまま出力する。８はミュート部７から入力したディジタル音声信号をＤ／Ａ変換して出力するＤ／Ａ変換器である。
【００２２】
９はマイク、１０はマイコン構成の音声認識部であり、マイク９で入力された音声の認識を行い、使用者識別情報の設定をしたり、使用時に使用者識別情報がマイク入力されると予め設定された使用者識別情報と照合して一致するか判定し、一致するとき一致信号を出力し、また、使用時にマイク入力された動作指示を判別して判別内容を出力したりする。１１は登録キー部であり、使用者識別情報を設定する際に、使用者別に押圧する登録キー１１１  、１１２  、１１３  を含んでいる。
【００２３】
音声認識部１０の内、１２はマイク入力をＡ／Ｄ変換するＡ／Ｄ変換器、１３はＡ／Ｄ変換後の音声信号から音声の特徴パラメータを抽出する特徴抽出部、１４は音声入力された音声の特徴パラメータを使用者識別情報として記憶する記憶部であり、図３に示す如く、第１〜第３の記憶領域に、各々、一人分の使用者識別情報（特徴パラメータ）を区別して記憶できる。１５は登録キー１１ｉ  （ｉ＝１〜３）が押圧されている間に特徴抽出部１３で抽出された特徴パラメータを記憶部１４の第ｉ記憶領域に登録設定する登録部、１６は装置の通常の使用時（登録キー１１１  〜１１３  が押圧されていないとき）にマイク入力されたときの特徴抽出部１３の出力を記憶部１４に記憶された設定内容と照合して一致するものが有るとき、一致信号を出力する照合部、１７は装置の通常の使用時（登録キー１１１  〜１１３  が押圧されていないとき）にマイク入力されたときの特徴抽出部１３の出力に基づき、動作指示を判別して判別結果を出力する判別部である。
照合部１６は特徴パラメータが記憶部１４に登録設定されたいずれかの使用者識別情報と一致しないと一致信号を出力しないが、判別部１７は任意の人の音声につき、入力内容の判別を行う。
【００２４】
１８は装置全体の制御を司るシステムコントローラであり、音声認識部１０からの動作指示入力に基づき、ローディング部３を制御してディスク挿入口２１のトレイに乗せられたディスク１をディスク再生メカ部２にローディングさせたり、ディスク再生メカ部２のディスク１をトレイに乗せたままディスク挿入口２１に排出させたりする。また、ディスク再生メカ部２を制御してディスク１の記録信号の検出、サーチ等を行わせたり、信号処理部４を制御してディジタル音声信号（ＣＤ−ＤＡの場合）、ディジタル映像信号とディジタル音声信号（ビデオＣＤの場合）の再生出力を行わせたり、サブコード情報、ヘッダ情報、トラック中のディスク管理情報などの各種制御情報を読み取らせたりする。
システムコントローラ１８は制御情報を参照して、ディスク１の種類に応じた信号処理動作を行わせる。
【００２５】
また、システムコントローラ１８はディスク再生メカ部２に装填されたディスク１がＣＤ−ＤＡと判れば、照合部１６から一致信号を入力したか否かに関わらず、再生中、ミュート部７にミュートオフ信号を出力する。ビデオＣＤの場合、使用時に音声認識部１０の照合部１６から一致信号を入力した場合は再生中、特殊映像効果部５に特殊映像モードオフ信号を出力し、ミュート部７にミュートオフ信号を出力するが、一致信号を入力しなかった場合は再生中、特殊映像効果部５に特殊映像モードオン信号を出力し、ミュート部７にミュートオン信号を出力し、表示器１９を点滅させて特殊映像出力中であることを示す（但し、再生途中で一致信号を入力すれば特殊映像効果部５に特殊映像モードオフ信号を出力し、ミュート部７にミュートオフ信号を出力し、表示器１９の点滅を止める）。
【００２６】
図２はディスク再生装置の外観図であり、装置ケース２０の前面にディスク挿入口２１、表示器１９、マイク９、電源スイッチ等が設けられている。装置ケース２０の左下部には扉２３が設けられており、扉２３の内部に登録キー１１１  〜１１３  が設置されている。扉２３はキーシリンダ２４にキーを差し入れ、回すことで開閉とロックを行うことができ、閉じてキーを抜けば、キーの所有者以外、登録キー１１１  〜１１３  を操作できないようになっている。
【００２７】
次に図１のディスク再生装置の動作を説明する。
父Ａ，母Ｂ、子供Ｃの３人は年齢が高いためビデオＣＤを再生する際、暴力シーン、残酷シーンを含む映像を完全な形で画面に写しだしても特に問題なく、子供Ｄは年齢が若いため不完全な画面で写し出し、暴力シーン、残酷シーンをはっきりとは鑑賞できないが凡そのストーリは判るようにしたい場合、扉２３を開け、電源オン状態で、Ａが登録キー１１１  を押しながら自身の使用者識別情報として例えば、「おとうさん」とマイク９に向かって音声入力すると、特徴抽出部１３が特徴パラメータを抽出し、登録部１５が記憶部１４の第１記憶領域に記憶させる。同様に、Ｂが登録キー１１２  を押しながら例えば、「おかあさん」と音声入力すると、特徴パラメータを第２記憶領域に記憶させる。更に、Ｃが登録キー１１３  を押しながら例えば、「とおる」と音声入力すると、特徴パラメータを第３記憶領域に記憶させる。このあと、扉２３を閉め、鍵をかけておけば、子供Ｄは使用者識別情報を設定することができない。記憶部１４に設定された使用者識別情報を図３に示す。
【００２８】
Ａが或るビデオＣＤをディスク再生装置に挿入して再生させたい場合、「排出」と音声入力する。音声入力があると特徴抽出部１３が特徴パラメータを抽出し、照合部１６と判別部１７に出力する。判別部１７は「排出」の特徴パラメータから排出指示と判別して、判別結果をシステムコントローラ１８に出力する。排出指示を受けたシステムコントローラ１８はローディング部３を制御し、ディスク再生メカ部２の上にあるトレイをディスク挿入口２１まで排出させる。排出されたトレイにＡが好みのディスク１を乗せたあと、「挿入」と音声入力すると、判別部１７が挿入指示との判別結果を出力し、システムコントローラ１８はローディング部３を制御し、トレイに乗ったディスク１をディスク再生メカ部２にローディングさせる。ビデオＣＤは図４に示す記録内容を有しており、トラックナンバ０１にビデオＣＤか否かを判別できるディスク管理情報が記録されている。
【００２９】
続いて、ディスク再生メカ部２と信号処理部４を制御して、リードインのＴＯＣ情報を読み取らせ、ＴＯＣのＰＯＩＮＴ  Ａ０のＰｓｅｃを解読する。これが“＄２０”であればビデオＣＤの可能性があるので（因みに“＄００”はＣＤ−ＤＡを示す）、更に、トラックナンバ０１のビデオＣＤインフォメーションエリアのＩＮＦＯ．ＶＣＤファイルを読み取らせ、この中に、ビデオＣＤであることを示す情報があれば、内蔵メモリに今回のディスク１がビデオＣＤである旨、登録する。
Ａがディスク１を再生させるため自身の使用者識別情報である「おとうさん」と、「再生」を音声入力すると、特徴抽出部１３が特徴パラメータを抽出し、照合部１６と判別部１７に出力する。照合部１６は特徴パラメータを入力すると、記憶部１４に一つも使用者識別情報としての特徴パラメータが無い場合、または、一致する特徴パラメータが有る場合に、一定時間、一致信号を出力する。ここでは、「おとうさん」の特徴パラメータが第１記憶領域のものと一致するので一致信号をシステムコントローラ１８に出力し、また、判別部１７は「再生」の特徴パラメータから再生指示と判別して、判別結果をシステムコントローラ１８に出力する。
【００３０】
システムコントローラ１８は判別部１７から入力した再生指示とディスク１の種類に従いディスク再生メカ部２と信号処理部４にビデオＣＤに対する再生制御をしてトラックナンバ０２以降の再生を開始させ、信号処理部４からディジタル映像信号とディジタル音声信号を出力させる。この際、照合部１６から一致信号を入力しているので、特殊映像効果部５に特殊映像モードオフ信号を出力し、信号処理部４から入力したディジタル映像信号をそのままＤ／Ａ変換器６に出力させ、ミュート部７にミュートオフ信号を出力し、信号処理部４から入力したディジタル音声信号をそのままＤ／Ａ変換器８に出力させる。これにより、ＡはビデオＣＤの記録内容を完全な画面と音声で鑑賞することができる。
鑑賞後、「排出」と音声入力すれば、音声認識部１０の判別部１７から排出指示を入力したシステムコントローラ１８がローディング部３を制御してディスク再生メカ部２からトレイに乗ったディスク１をディスク挿入口２１に排出させる。Ｂ，Ｃも全く同様にして、再生指示する際に自身の使用者識別情報を音声入力することで好みのビデオＣＤを完全な画面と音声で鑑賞することができる。
【００３１】
ＤもビデオＣＤをディスク再生装置内にローディングさせることはＡと同様に可能である。しかし、再生させるため単に「再生」と音声入力したときは勿論のこと、Ａに真似て「おとうさん」、「再生」と音声入力したときも、照合部１６は特徴抽出部１３から入力した特徴パラメータと一致する使用者識別情報が記憶部１４に設定されていないので一致信号の出力をせず、判別部１７が再生指示を判別してシステムコントローラ１８に出力するだけである。このとき、システムコントローラ１８はディスク再生メカ部２と信号処理部４にビデオＣＤに対する再生制御をしてトラック２以降の再生を開始させ、信号処理部４からディジタル映像信号とディジタル音声信号を出力させるが、照合部１６から一致信号を入力していないので、特殊映像効果部５に特殊映像モードオン信号を出力し、信号処理部４から入力したディジタル映像信号にモザイク処理を施したディジタル映像信号をＤ／Ａ変換器６に出力させ、ミュート部７にミュートオン信号を出力し、信号処理部４から入力したディジタル音声信号にミュートを掛けたディジタル音声信号をＤ／Ａ変換器８に出力させる。そして、一定時間、表示器１９を点滅させてＤに鑑賞が制限されている旨、警告する。
これにより、ＤはビデオＣＤの記録映像を不完全な画面で鑑賞することになり、音声は聴くことができない。
【００３２】
なお、Ａ、Ｂ、Ｃが使用者識別情報を音声入力せずに再生指示をしたとき、システムコントローラ１８はビデオＣＤの再生制御をする際、特殊映像効果部５に特殊映像モードオン信号を出力して特殊映像を映し出させ、ミュート部７にミュートオン信号を出力して無音とさせるが、ビデオＣＤの再生中に使用者識別情報を音声入力すると、照合部１６から一致信号が出力されるので、直ちに、特殊映像効果部５に特殊映像モードオフ信号を出力して通常映像を映し出させ、ミュート部７にミュートオフ信号を出力して音声出力をさせる。
【００３３】
また、ＣＤ−ＤＡをローディングさせたとき、システムコントローラ１８がＴＯＣ情報のリードインのＴＯＣ情報を読み取らせ、ＴＯＣのＰＯＩＮＴ  Ａ０のＰｓｅｃを解読すると、“＄００”となっており、ＣＤ−ＤＡであることが判るので、内蔵メモリに今回のディスク１がＣＤ−ＤＡである旨、登録する。ＣＤ−ＤＡの場合、システムコントローラ１８は再生指示を受けると、ディスク再生メカ部２と信号処理部４にＣＤ−ＤＡの再生制御を行い、信号処理部４から音声出力を行わせる。そして、再生指示と一緒に一致信号を入力したか否かに関わらず、ミュート部７にはミュートオフ信号を出力し、誰でもＣＤ−ＤＡを聴取できるようにする。
【００３４】
図１のディスク再生装置によれば、予め、識別情報を設定した特定の使用者以外にはビデオＣＤから得た映像を不完全な画面で提供するようにでき、暴力シーン、残虐シーンなど一定年齢以上でないと適さない映像を勝手に完全な形で鑑賞されるのを防止しながら、凡そのストーリは把握できるようにすることが可能となる。
また、予め、識別情報を設定した特定の使用者以外にはビデオＣＤから得た音声を聞こえないようにでき、一定年齢以上でないと適さない音声の鑑賞を防止することができる。
【００３５】
なお、上記した図１のディスク再生装置では、３人の使用者識別情報を設定可能としたが、１人または２人だけとしたり、４人以上設定できるようにしても良い。また、信号処理部の音声出力側に設けたミュート部を省略し、使用者識別情報の設定していない者であっても、ビデオＣＤの音声は聴取できるようにしても良い。
【００３６】
図５は本発明の第一実施例に係るディスク再生装置の回路図であり、図１と同一の構成部分には同一の符号が付してある。
図１のディスク再生装置では使用者識別情報を設定していない者に対し、全てのビデオＣＤについて不完全な映像画面を映し出すようにしたが、図５の実施例ではビデオＣＤのトラックナンバ０１のＩＮＦＯ．ＶＣＤファイルに記録された年齢制限情報に年齢制限が有る場合だけ、不完全な映像画面を映し出すようにしたものである。図５の実施例ではシステムコントローラ１８Ａ以外、図１と全く同様に構成されている。
システムコントローラ１８Ａは、音声認識部１０から入力した挿入指示に基づきディスク１をディスク再生メカ部２にローディングさせたあと、ディスク再生メカ部２と信号処理部４を制御して、リードインのＴＯＣ情報を読み取らせ、ＴＯＣのＰＯＩＮＴ  Ａ０のＰｓｅｃを解読する。これが“＄００”であれば、内蔵メモリに今回のディスク１がＣＤ−ＤＡであることを登録し、再生指示があればＣＤ−ＤＡの再生制御をするとともに無条件にミュート部７にミュートオフ信号を出力する。
【００３７】
一方、ＴＯＣのＰＯＩＮＴ  Ａ０のＰｓｅｃが“＄２０”であれば、更に、トラックナンバ０１のビデオＣＤインフォメーションエリアのＩＮＦＯ．ＶＣＤファイルを読み取らせ、この中に、ビデオＣＤであることを示す情報と年齢制限情報があれば、内蔵メモリに今回のディスク１がビデオＣＤであること及び年齢制限情報を登録する。年齢制限情報から年齢制限の有無と、年齢制限が有る場合にそのレベルが判る。ディスク再生メカ部２にセットされたディスク１がビデオＣＤであるとして、予め使用者識別情報を設定しておいたＡ、Ｂ、Ｃが使用者識別情報と「再生」を音声入力したとき、音声認識部１０から再生指示と一致信号を入力したシステムコントローラ１８ＡはビデオＣＤの再生制御をするとともに、年齢制限の有無に関わらず、特殊映像効果部５に特殊映像モードオフ信号を出力し、ミュート部７にミュートオフ信号を出力して通常の完全な映像画面を写し出させるとともに通常の音声出力もさせる。
【００３８】
予め使用者識別情報を設定していないＤが「再生」だけ、または適当な使用者識別情報と「再生」を音声入力したとき、音声認識部１０からは再生指示だけ出力され、一致信号は出力されない。この場合、システムコントローラ１８Ａは先にトラックナンバ０１から読み出した年齢制限情報が年齢制限無しとなっている場合、ビデオＣＤの再生制御をするとともに特殊映像効果部５に特殊映像モードオフ信号を出力し、ミュート部７にミュートオフ信号を出力して完全な映像画面を写し出させるとともに音声出力もさせる。
【００３９】
これと異なり、年齢制限情報が年齢制限有りとなっている場合、ビデオＣＤの再生制御をするとともに特殊映像効果部５に特殊映像モードオン信号を出力し、ミュート部７にミュートオン信号を出力して不完全な映像画面を写し出させるとともに音声出力をオフさせる。そして、一定時間、表示器１９を点滅させる。よって、予め、使用者識別情報を設定していない一定以下の年齢の者は音無しの不完全な映像画面で鑑賞することになる。
若し、予め使用者識別情報を設定しているＡ、Ｂ、Ｃが「再生」だけ音声入力したとき、音声認識部１０から再生指示だけ出力され、一致信号が出力されないので、システムコントローラ１８ＡはビデオＣＤの再生時に特殊映像モードをオンし、また、ミュートをオンする。但し、ビデオＣＤの再生中に、使用者識別情報を正しく音声入力すれば、照合部１６から一致信号を入力したシステムコントローラ１８Ａは、特殊映像モードをオフし、また、ミュートをオフする。よって、以降、音付の完全な映像画面を鑑賞することができる。
【００４０】
この第一実施例によれば、予め、使用者識別情報を設定していない者に対し、年齢制限の無いビデオＣＤの映像と音声は自由に鑑賞可能とできる。一方、年齢制限の有るビデオＣＤの映像は音無しの不完全な映像画面で提供するようにでき、一定年齢以上でないと適さない映像と音声を勝手に完全な形で鑑賞されるのを防止しながら、凡そのストーリは把握できるようにすることが可能となる。
また、一定以上の年齢の者であれば、予め、使用者の識別情報を設定しておくとともに、使用時に使用者識別情報を入力することで、年齢制限の有無に関わらず、ビデオＣＤから得た映像と音声を完全な形で自由に鑑賞可能にできる。
【００４１】
なお、予め使用者識別情報を設定した者が再生指示時または再生中に使用者識別情報を音声入力することにより、年齢制限の有るビデオＣＤを通常映像と通常音声で鑑賞できるようにしたが、これと異なり、再生指示時または再生中に音声入力又はキー入力等で、装置固有またはディスク固有の所定の年齢制限解除情報を入力したとき、システムコントローラ１８Ａが特殊映像モードをオフし、また、ミュートをオフして年齢制限の有るビデオＣＤを通常映像と通常音声で鑑賞できるようにしても良い。また、ミュート部７は省略しても良い。
【００４２】
また、上記した第一実施例ではビデオＣＤの年齢制限情報に年齢制限が有る場合、予め使用者識別情報を設定していない者はビデオＣＤの全ての記録映像につき不完全な映像しか鑑賞できないが、以下のようにして、暴力シーン、残酷シーン等の一定以下の年齢の者は鑑賞に適さない部分は不完全な映像しか鑑賞できないが、他の部分は完全な形で映像を鑑賞できるようにしても良い。
すなわち、年齢制限の有るビデオＣＤにつきトラックナンバ０１に記録された年齢制限情報に、ビデオＣＤ中の暴力シーン、残酷シーン等の年齢制限区間情報を例えば、年齢制限開始アドレスＩＡｓ  、年齢制限終了アドレスＩＡｅ  という形で含めておく。そして、図６に示す如く、システムコントローラ１８Ａはディスク再生メカ部２にビデオＣＤがセットされており、かつ、年齢制限情報で年齢制限されている場合、予め使用者識別情報を設定していない者が再生を指示したとき、ディスク再生メカ部２と信号処理部４に対し、ビデオＣＤの再生制御をし、この際、最初は特殊映像モードとミュートをともにオフさせて、通常の映像と音声を出力させる。
【００４３】
再生中、信号処理部４から現在の再生位置を示すアドレスを入力し、年齢制限開始アドレスＩＡｓ  と一致するか比較する。一致しなければ通常の映像、音声の出力を続け、一致したとき、特殊映像モードとミュートをともにオンさせて、特殊映像を出力させるとともに無音とする。このあと、信号処理部４から入力したアドレスが年齢制限終了アドレスＩＡｅ  と一致するか比較する。一致しなければ特殊映像の出力を続け、一致したとき、特殊映像モードとミュートをともにオフさせて、通常の映像と音声を出力させる。
複数箇所の年齢制限区間が有る場合は、各区間につき同様の処理を行う。このようにすることで、予め使用者識別情報を設定していない者は暴力シーン、残酷シーン等の一定年齢以上でないと鑑賞に適さない部分は不完全な映像しか鑑賞できないが、他の部分は完全な形で映像を鑑賞できるようになる。
【００４４】
また、年齢制限区間情報をトラックナンバ０１に含める代わりに、図７に示す如く、ビデオＣＤの映像の記録された全領域に渡り、例えば、サブコードの空きチャンネル、ＧＯＰヘッダ、パケットヘッダ等の空き領域に年齢制限情報を含め、年齢制限区間については年齢制限有りとしておく。そして、予め使用者識別情報を設定していない者が再生を指示したとき、ディスク再生メカ部２と信号処理部４に対し、ビデオＣＤの再生制御をし、この際、最初は特殊映像モードとミュートをともにオフさせて、通常の映像と音声を出力させる。
【００４５】
再生中、信号処理部４からサブコード、ヘッダ情報等の制御情報を入力し、年齢制限情報を解読して年齢制限有りとなっているか判定する。年齢制限有りとなっていなければ通常の映像、音声の出力を続け、年齢制限有りとなったとき、特殊映像モードとミュートをともにオンさせて、特殊映像を出力させるとともに無音とする。このあと、信号処理部４から入力した制御情報中の年齢制限情報が年齢制限無しとなったか判定する。年齢制限有りが続いていれば特殊映像の出力を続け、年齢制限無しとなったとき特殊映像モードとミュートをともにオフさせて、通常の映像と音声を出力させる。
複数箇所の年齢制限区間が有る場合は、各区間につき同様の処理を行う。このようにすることでも、予め使用者識別情報を設定していない者は暴力シーン、残酷シーン等の一定年齢以上でないと鑑賞に適さない部分は不完全な映像しか鑑賞できないが、他の部分は完全な形で映像を鑑賞可能とできる。
【００４６】
なお、図６、図７のいずれの場合も、予め使用者識別情報を設定した者が、使用者識別情報の入力とともに再生指示したとき、或いは再生指示だけして後から使用者識別情報を入力したとき、システムコントローラ１８Ａは年齢制限区間であっても通常の映像と音声を出力させる。使用者識別情報に代えて、年齢制限解除入力をするようにした場合、再生開始時、または再生中に年齢制限解除入力があれば、同様に年齢制限区間であっても通常の映像と音声を出力させる。
【００４７】
図８は本発明の第二実施例に係るディスク再生装置の回路図であり、図５と同一の構成部分には同一の符号が付してある。
図５の実施例では使用者識別情報を設定した使用者であれば年齢制限のレベルに関係なく全てのビデオＣＤについて完全な映像画面を映し出すようにしたが、図８の実施例では使用者の年齢が年齢制限情報による年齢制限レベルを越えているビデオＣＤだけ完全な映像画面を映し出すようにし、使用者の年齢が年齢制限レベルを下回っている場合、不完全な映像画面を映し出すようにしたものである。図８の実施例ではシステムコントローラ１８Ｂ、ディップスイッチ部３０、照合部１６Ｂ以外、図５と全く同様に構成されている。
【００４８】
ディップスイッチ部３０は装置ケース２０の蓋２３の中に設けられている（図２参照）。ディップスイッチ部３０は３つづつ３組のディップスイッチ３０−１１  〜３０−１３  、３０−２１  〜３０−２３  、３０−３１  〜３０−３３  を備えている。ディップスイッチ３０−１１  〜３０−１３  は登録キー１１１  を押圧して音声で識別情報を入力する第１の使用者に対応し、ディップスイッチ３０−２１  〜３０−２３  は登録キー１１２  を押圧して識別情報を入力する第２の使用者に対応し、ディップスイッチ３０−３１  〜３０−３３  は登録キー１１３  を押圧して識別情報を入力する第３の使用者に対応している。
ビデオＣＤが年齢制限有りの場合、トラックナンバ０１の年齢制限情報で３つのレベルＬ１  、Ｌ２  、Ｌ３  の１つが指定される。年齢で見た場合、Ｌ１  ＜Ｌ２  ＜Ｌ３  である。ディップスイッチ３０−１１  をＯＮとすることで登録キー１１１  の押圧で識別情報を入力した第１の使用者がレベルＬ１  の年齢制限が許容されることを設定できる。同様に、ディップスイッチ３０−１２  （３０−１３  ）をＯＮとすることで登録キー１１１  の押圧で識別情報を入力した第１の使用者がレベルＬ２  （Ｌ３  ）の年齢制限が許容されることを設定できる。同様に、ディップスイッチ３０−２１  （３０−３１  ）をＯＮとすることで登録キー１１２  （１１３  ）の押圧で識別情報を入力した第２の使用者（第３の使用者）がレベルＬ１  の年齢制限が許容されることを設定でき、ディップスイッチ３０−２２  （３０−３２  ）をＯＮとすることで登録キー１１２  （１１３  ）の押圧で識別情報を入力した第２の使用者（第３の使用者）がレベルＬ２  の年齢制限が許容されることを設定でき、ディップスイッチ３０−２３  （３０−３３  ）をＯＮとすることで登録キー１１２  （１１３  ）の押圧で識別情報を入力した第２の使用者（第３の使用者）がレベルＬ３  の年齢制限が許容されることを設定できる。
【００４９】
Ｅ、Ｆ、Ｇの３人が各々の年齢で許容される年齢制限レベルのビデオＣＤは完全な映像画面で鑑賞でき、許容されない年齢制限レベルは不完全な映像画面で鑑賞できるようにするとき、まず、扉２３を開け、電源オン状態で、Ｅが登録キー１１１  を押しながら自身の使用者識別情報として例えば、「とおる」とマイク９に向かって音声入力すると、特徴抽出部１３が特徴パラメータを抽出し、登録部１５が記憶部１４の第１記憶領域に記憶させる。同様に、Ｆが登録キー１１２  を押しながら例えば、「たかお」と音声入力すると、特徴パラメータを第２記憶領域に記憶させる。更に、Ｇが登録キー１１３  を押しながら例えば、「きよし」と音声入力すると、特徴パラメータを第３記憶領域に記憶させる。
そして、Ｅは年齢制限レベルＬ１  だけ許容されるときディップスイッチ３０−１１  をＯＮとし、３０−１２  と３０−１２  はＯＦＦとする。また、Ｆは年齢制限レベルＬ１  とＬ２  が許容されるときディップスイッチ３０−２１  と３０−２２  をＯＮとし、３０−２３  はＯＦＦとする。更に、ＧはＬ１  からＬ３  まで全ての年齢制限レベルが許容されるときディップスイッチ３０−３１  、３０−３２  、３０−３３  の全てをＯＮとする。このようにして、Ｅ、Ｆ、Ｇの３人の識別情報と許容される年齢制限レベルの設定を終えたならば、扉２３を閉め、鍵をかけておけば、他人は使用者識別情報を設定することができない。
【００５０】
Ｇが年齢制限レベルＬ１  のビデオＣＤを鑑賞したい場合、まず音声で「排出」と入力すると、音声認識部１０の判別部１７から排出指示を入力したシステムコントローラ１８Ｂはローディング部３を制御してディスク再生メカ部２に在るトレイをディスク挿入口２１に排出させる。Ｇが当該ビデオＣＤをトレイに乗せ、「挿入」と音声入力すると、音声認識部１０の判別部１７から挿入指示を入力したシステムコントローラ１８Ｂはローディング部３を制御してディスク再生メカ部２にローディングさせる。このあと、ディスク再生メカ部２と信号処理部４を制御して、リードインのＴＯＣ情報を読み取らせ、ＴＯＣのＰＯＩＮＴ  Ａ０のＰｓｅｃを解読する。これが“＄２０”であればビデオＣＤの可能性があるので、更に、トラックナンバ０１のビデオＣＤインフォメーションエリアのＩＮＦＯ．ＶＣＤファイルを読み取らせ、この中に、ビデオＣＤであることを示す情報と年齢制限情報があれば、内蔵メモリにディスク１がビデオＣＤである旨とその年齢制限情報を登録する。
【００５１】
Ｇがディスク１を再生させるため自身の使用者識別情報である「とおる」と、「再生」を音声入力すると、特徴抽出部１３が特徴パラメータを抽出し、照合部１６と判別部１７に出力する。照合部１６Ｂは特徴パラメータを入力すると、記憶部１４に一致する特徴パラメータが有る場合に、その番号を出力する。ここでは、「とおる」の特徴パラメータが第１記憶領域のものと一致するので使用者番号１をシステムコントローラ１８Ｂに出力し、また、判別部１７は「再生」の特徴パラメータから再生指示と判別して、判別結果をシステムコントローラ１８Ｂに出力する。
【００５２】
システムコントローラ１８Ｂは判別部１７から入力した再生指示とディスク１の種類に従いディスク再生メカ部２と信号処理部４にビデオＣＤに対する再生制御をしてトラックナンバ２以降の再生を開始させ、信号処理部４からディジタル映像信号とディジタル音声信号を出力させる。この際、照合部１６から使用者Ｅに係る使用者番号１を入力しているので、対応するディップスイッチ３０−１１  、３０−１２  、３０−１３  の状態と今回、セットされたビデオＣＤの年齢制限レベルから通常映像と通常音声の出力が許容されるか判定する。ここでは、ビデオＣＤの年齢制限レベルＬ１  に対応するディップスイッチ３０−１１  がＯＮとなっているので、通常出力が許容されると判別し、特殊映像効果部５に特殊映像モードオフ信号を出力し、信号処理部４から入力したディジタル映像信号をそのままＤ／Ａ変換器６に出力させ、ミュート部７にミュートオフ信号を出力し、信号処理部４から入力したディジタル音声信号をそのままＤ／Ａ変換器８に出力させる。これにより、ＥはビデオＣＤの記録内容を完全な画面と音声で鑑賞することができる。
鑑賞後、「排出」と音声入力すれば、音声認識部１０の判別部１７から排出指示を入力したシステムコントローラ１８Ｂがローディング部３を制御してディスク再生メカ部２からトレイに乗ったディスク１をディスク挿入口２１に排出させる。
【００５３】
若し、Ｅが年齢制限レベルＬ２  またはＬ３  のビデオＣＤをローディングさせて、「とおる」、「再生」と音声入力した場合、システムコントローラ１８Ｂはディップスイッチ３０−１１  、３０−１２  、３０−１３  の状態と今回、セットされたビデオＣＤの年齢制限レベルから通常映像と通常音声の出力が許容されるか判定したとき、年齢制限レベルＬ２  またはＬ３  に対応するディップスイッチ３０−１２  または３０−１３  がＯＦＦとなっているので、通常出力が許容されないと判別し、特殊映像効果部５に特殊映像モードオン信号を出力し、信号処理部４から入力したディジタル映像信号を特殊映像効果処理したディジタル映像信号をＤ／Ａ変換器６に出力させ、ミュート部７にミュートオン信号を出力し、信号処理部４から入力したディジタル音声信号にミュートを掛けたディジタル音声信号をＤ／Ａ変換器８に出力させる。この結果、Ｅは年齢制限レベルＬ２  、Ｌ３  のビデオＣＤは音無しの不完全な映像で鑑賞できることになり、凡そのストーリを把握することができる。
【００５４】
Ｆが年齢制限レベルＬ１  またはＬ２  のビデオＣＤをローディングさせたあと、「たかお」、「再生」と音声入力したとき、照合部１６Ｂは番号２を出力し、判別部１７は再生指示を出力する。システムコントローラ１８Ｂは対応するディップスイッチ３０−２１  、３０−２２  、３０−２３  の状態と今回、セットされたビデオＣＤの年齢制限レベルから通常映像と通常音声の出力が許容されるか判定する。ここでは、ビデオＣＤの年齢制限レベルＬ１  またはＬ２  に対応するディップスイッチ３０−２１  、３０−２２  がＯＮとなっているので、いずれの場合も通常出力が許容されると判別し、特殊映像モードをオフし、ミュートをオフさせる。よって、ＦはビデオＣＤの記録内容を完全な画面と音声で鑑賞することができる。
【００５５】
若し、Ｆが年齢制限レベルＬ３  のビデオＣＤをローディングさせ、「たかお」、「再生」と音声入力した場合、システムコントローラ１８Ｂは年齢制限レベルＬ３  に対応するディップスイッチ３０−２３  がＯＦＦとなっているので、通常出力が許容されないと判別し、特殊映像モードをオンし、ミュートもオンする。この結果、Ｆは年齢制限レベルＬ３  のビデオＣＤは音無しの不完全な映像で鑑賞できることになり、凡そのストーリを把握することができる。
【００５６】
Ｇが年齢制限レベルＬ１  またはＬ２  またはＬ３  のビデオＣＤをローディングさせたあと、「きよし」、「再生」と音声入力したとき、照合部１６Ｂは使用者番号３を出力し、判別部１７は再生指示を出力する。システムコントローラ１８Ｂは対応するディップスイッチ３０−３１  、３０−３２  、３０−３３  の状態と今回、セットされたビデオＣＤの年齢制限レベルから通常映像と通常音声の出力が許容されるか判定する。ここでは、ビデオＣＤの年齢制限レベルＬ１  またはＬ２  またはＬ３  に対応するディップスイッチ３０−３１  、３０−３２  、３０−３３  が全てＯＮとなっているので、いずれの場合も通常出力が許容されると判別し、特殊映像モードをオフし、ミュートをオフさせる。よって、Ｇは何ら年齢制限を受けることなくビデオＣＤの記録内容を完全な画面と音声で鑑賞することができる。
【００５７】
なお、例えば、Ｅに対応するディップスイッチ３０−１１  、３０−１２  、３０−１３  を全てＯＦＦに設定していた場合、Ｅが年齢制限の有るビデオＣＤをローディングさせ、「とおる」、「再生」と音声入力したとき、システムコントローラ１８Ｂは通常出力が許容されないと判別し、特殊映像モードをオンし、ミュートもオンする。但し、年齢制限の無いビデオＣＤに対しては、システムコントローラ１８Ｂは照合部１６Ｂからの番号入力の有無に関わらず、通常出力が許容されると判別し、特殊映像モードをオフし、ミュートをオフさせる。よって、Ｅは年齢制限の無いビデオＣＤの記録内容を完全な画面と音声で鑑賞することができる。
ＣＤ−ＤＡをローディングさせて再生指示を与えた場合も、システムコントローラ１８Ｂは照合部１６Ｂからの番号入力の有無に関わらず、通常出力が許容されると判別し、ミュートをオフさせる。
【００５８】
この第二実施例によれば、年齢制限情報に年齢制限の複数のレベルが有る場合に、複数の使用者間の年齢の差に応じて、ビデオＣＤを完全な映像画面と音声で鑑賞可能とするか音無しの不完全な映像画面で鑑賞可能とするか適切に切り換えることができる。すなわち、或るビデオＣＤの年齢制限レベルに対し年齢が適している使用者だけが完全な映像と音声で鑑賞可能とする一方、年齢が適していない他の使用者には音無しの不完全な画面で提供するようにでき、年齢が適していない使用者が勝手に完全な形で鑑賞すのを防止しながら、凡そのストーリは把握できるようにすることが可能となる。
【００５９】
なお、ミュート部７を省略して、年齢制限に関わらず音声は聴取できるようにしても良い。また、ビデオＣＤのトラックナンバ０１の年齢制限情報に、年齢制限区間情報を含めておき、再生時に通常出力が許容されないと判定したとき、システムコントローラ１８Ｂは年齢制限区間だけ特殊映像モードとミュートをオンし、他は特殊映像モードとミュートをオフするようにしても良い。
また、ビデオＣＤの映像の記録領域の全域に渡り、サブコードの空きチャンネル、ＧＯＰヘッダ、パケットヘッダ等の空き領域に年齢制限情報を含め、年齢制限区間については年齢制限が有ること及び年齢制限レベルを記録しておき、照合部１６Ｂからの番号入力と判別部１７からの再生指示入力に従いビデオＣＤの再生制御をする際、最初は特殊映像モードとミュートをともにオフさせて、通常の映像と音声を出力させ、再生中、信号処理部４からサブコード、ヘッダ情報等の制御情報を入力し、年齢制限情報を解読して年齢制限有りとなっているか判定する。年齢制限有りとなっていなければ通常の映像、音声の出力を続け、年齢制限有りとなったとき、先に入力した使用者番号と対応するディップスイッチの状態、ビデオＣＤから読み取った年齢制限レベルを元に、通常出力が許容されるか判定し、許容されれば通常の映像、音声の出力を続け、許容されなければ特殊映像モードとミュートをともにオンさせて、特殊映像を出力させるとともに無音とする。このあと、信号処理部４から入力した制御情報中の年齢制限情報が年齢制限無しとなったか判定する。年齢制限有りが続いていれば特殊映像の出力を続け、年齢制限無しとなったとき特殊映像モードとミュートをともにオフさせて、通常の映像と音声を出力させる。
このようにすれば、暴力シーン、残虐シーン等、使用者の年齢では鑑賞に適さない部分だけ不完全な映像画面を写しだし、他は完全な映像画面が見られるようにすることができる。
【００６０】
なお、上記した各実施例、変形例では、音声認識部を設け、音声入力により動作指示を与えるようにしたが、装置ケースにキー操作部を設け、キー操作で動作指示を与えるようにしても良く、更に、使用者識別情報の設定も、キーの多重押しで行うようにしても良い。
また、記録媒体としてビデオＣＤ等のディスクを例に挙げたが、ディジタルビデオテープ等の他の記録媒体をディジタルビデオテープレコーダ等の記録媒体再生装置で再生して映像と音声を得たり、年齢制限情報を読み取ったりしても良い。更に、映像ソース（ＡＶソース）は記録媒体に限定されず、ＴＶ放送、ＣＡＴＶ放送、高速ディジタル通信回線を使用した映像（映像・音声）通信サービスであっても良く、各々、ＴＶ受信機、ＣＡＴＶ受信機、映像（映像・音声）通信受信端末で受信して、映像（映像・音声）を得るようにすれば良い。映像（映像・音声）通信サービスでは図９（１）に示す如く、プログラムの最初に含まれる番組管理情報中に年齢制限情報を含めたり、映像（映像・音声）期間中に年齢制限情報を多重するようにすれば良い。
【００６６】
【発明の効果】
本発明に係る映像装置によれば、予め、複数の使用者の識別情報と許容される年齢制限のレベルを設定しておき、使用時に入力される使用者識別情報とディスク等の記録媒体等の映像ソースから記録媒体再生手段で読み取るなどして得た年齢制限情報に基づき判別した年齢制限のレベルを、予め設定された内容と照合して通常出力が許容されるか判定し、通常出力が許容されると判定された場合、ディスク等の記録媒体等の映像ソースから記録媒体再生手段で再生するなどして得た映像信号を出力させ、通常出力が許容されると判定されなかった場合、映像ソースから得た映像信号に対し特殊映像効果処理を施したあとの映像信号を出力させるようにしたので、年齢制限情報に年齢制限の複数のレベルが有る場合に、複数の使用者間の年齢の差に応じて、映像ソースの映像を完全な画面で鑑賞可能とするか不完全な画面で鑑賞可能とするか適切に切り換えることができる。すなわち、或る映像ソースの年齢制限レベルに対し年齢が適している使用者だけが完全な画面で鑑賞可能とする一方、年齢が適していない他の使用者には不完全な画面で提供するようにでき、年齢が適していない使用者が勝手に完全な形で鑑賞すのを防止しながら、凡そのストーリは把握できるようにすることが可能となる。
【００６７】
本発明に係る他の映像装置によれば、ディスク等の記録媒体等の映像ソースがＡＶソースの場合に、使用時に入力される使用者識別情報とディスク等の記録媒体等の映像ソースから記録媒体再生手段で読み取るなどして得た年齢制限情報に基づき判別した年齢制限のレベルを、予め設定された内容と照合して通常出力が許容されるか判定し、通常出力が許容されると判定されなかった場合、音声出力にミュートを掛けるようにしたので、或るＡＶソースの年齢制限レベルに対し年齢が適していない使用者にはＡＶソースから得た音声を聞こえないようにでき、年齢制限レベル以上でないと適さない音声の鑑賞を防止することができる。
【図面の簡単な説明】
【図１】本発明の基礎となるディスク再生装置の回路図である。
【図２】ディスク再生装置の外観図である。
【図３】音声認識部の記憶部に設定された使用者識別情報の説明図である。
【図４】ビデオＣＤの記録内容の説明図である。
【図５】本発明の第一実施例に係るディスク再生装置の回路図である。
【図６】第一実施例の変形例の説明図である。
【図７】第一実施例の更に他の変形例の説明図である。
【図８】本発明の第二実施例に係るディスク再生装置の回路図である。
【図９】本発明の変形例の説明図である。
【符号の説明】
１  ディスク                      ２  ディスク再生メカ部
３  ローディング部                ４  信号処理部
５  特殊映像効果部                ７  ミュート部
９  マイク                        １０  音声認識部
１１  登録キー部                  １１１  、１１２  、１１３    登録キー
１３  特徴抽出部                  １４  記憶部
１５  登録部                      １６、１６Ｂ  照合部
１７  判別部
１８、１８Ａ、１８Ｂ  システムコントローラ
３０  ディップスイッチ部
【図１】
0003606462.tif 000002
【図２】
0003606462.tif 000003
【図３】
0003606462.tif 000004
【図４】
0003606462.tif 000005
【図５】
0003606462.tif 000006
【図６】
0003606462.tif 000007
【図７】
0003606462.tif 000008
【図８】
0003606462.tif 000009
【図９】
0003606462.tif 000010